(57)【要約】【課題】巻上機モーターと建築コーナー壁との間の隙間が狭い現場でも簡単に装着でき、回転軸にキー溝のみが設けられた巻上機モーターに使用できるエレベータ巻上機モーター用ラチェット式手巻きハンドルを得る。【解決手段】ラチェット式手巻きハンドルの中央部を構成する縦型ハンドル部２と、縦型ハンドル部の先端部に水平方向に設けられ、ラチェット式手巻きハンドルの主要部を構成するとともにラチェット機構が内蔵された水平頭部３と、からなる全体としてＴ字型又はピストル型の形状を呈しており、水平頭部は、前方に突出して巻上機モーターの回転軸を内側に嵌入装着する円筒状嵌合部４と、この円筒状嵌合部の内面に設けられ、巻上機モーターの回転軸に設けられたキー溝に係合して、ラチェット式手巻きハンドルの一方向の回転力のみ巻上機モーターの回転軸に伝達する凸条５とを備える。【選択図】図４
2008273731.tif 000002
【特許請求の範囲】
【請求項１】
主として巻上機モーターと建築コーナー壁との間の隙間が狭い現場で使用されるエレベータ巻上機モーター用ラチェット式手巻きハンドルであって、
ラチェット式手巻きハンドルの中央部を構成する縦型ハンドル部と、前記縦型ハンドル部の先端部に水平方向に交差するように設けられ、ラチェット式手巻きハンドルの主要部を構成するとともにラチェット機構が内蔵された水平頭部と、からなる全体としてＴ字型又はピストル型の形状を呈しており、
前記水平頭部は、前方に突出して前記巻上機モーターの回転軸を内側に嵌入装着する円筒状嵌合部と、この円筒状嵌合部の内面に設けられ、前記巻上機モーターの回転軸に設けられたキー溝に係合して、ラチェット式手巻きハンドルの一方向の回転力のみ巻上機モーターの回転軸に伝達する凸条とを備えたことを特徴とするエレベータ巻上機モーター用ラチェット式手巻きハンドル。
【請求項２】
主として巻上機モーターと建築コーナー壁との間の隙間が狭い現場で使用されるエレベータ巻上機モーター用ラチェット式手巻きハンドルであって、
ラチェット式手巻きハンドルの中央部を構成する縦型ハンドル部と、前記縦型ハンドル部の先端部に水平方向に交差するように設けられ、ラチェット式手巻きハンドルの主要部を構成するとともにラチェット機構が内蔵された水平頭部と、からなる全体としてＴ字型又はピストル型の形状を呈しており、
前記水平頭部は、前方に突出して前記巻上機モーターの回転軸を内側に嵌入装着する円筒状嵌合部と、この円筒状嵌合部の内面に設けられ、前記巻上機モーターの回転軸に設けられたキー溝に係合して、ラチェット式手巻きハンドルの一方向の回転力のみ巻上機モーターの回転軸に伝達する凸条と、後方に突出して、後方から前記縦型ハンドル部の先端部を貫通して前記円筒状嵌合部を着脱自在に取り付け固定する固定ボルトとを備えたことを特徴とするエレベータ巻上機モーター用ラチェット式手巻きハンドル。
【請求項３】
主として巻上機モーターと建築コーナー壁との間の隙間が狭い現場で使用されるエレベータ巻上機モーター用ラチェット式手巻きハンドルであって、
ラチェット式手巻きハンドルの中央部を構成する縦型ハンドル部と、前記縦型ハンドル部の先端部に水平方向に交差するように設けられ、ラチェット式手巻きハンドルの主要部を構成するとともにラチェット機構が内蔵された水平頭部と、からなる全体としてＴ字型又はピストル型の形状を呈しており、
前記水平頭部は、前方に突出して前記巻上機モーターの回転軸を内側に嵌入装着する円筒状嵌合部と、この円筒状嵌合部の内面に設けられ、前記巻上機モーターの回転軸に設けられたキー溝に係合して、ラチェット式手巻きハンドルの一方向の回転力のみ巻上機モーターの回転軸に伝達する凸条と、後方に突出して、後方から前記縦型ハンドル部の先端部を貫通して前記円筒状嵌合部を着脱自在に取り付け固定する固定ボルトとを備え、
円筒状嵌合部は、その長さ寸法の異なるものを予め用意しておき、前記巻上機モーターの回転軸と建築コーナー壁との間の隙間に対応して前記円筒状嵌合部を選択して使用することを特徴とするエレベータ巻上機モーター用ラチェット式手巻きハンドルの使用方法。
【発明の詳細な説明】
【技術分野】
【０００１】
この発明は、巻上機モーターと建築コーナー壁との間の隙間が狭い現場でも装着できるエレベータ巻上機モーター用ラチェット式手巻きハンドル及びその使用方法に関するものである。
【背景技術】
【０００２】
従来のエレベータ巻上機モーター用手巻きハンドルの構造を図７〜図１０に示す。
１１は手巻きハンドル、１２は手巻きハンドル１１の一側面の両端部に突設された一対の取手、１３は手巻きハンドル１１の他側面の中央部に突設された円筒状嵌合部である。この円筒状嵌合部１３の内周面には、巻上機モーター１０の回転軸に設けられたキー溝に係合して、手巻きハンドル１１の回転力を巻上機モーター１０の回転軸に伝達するための凸条１４が設けられている。  
【０００３】
また、従来技術として、押し下げることにより、巻上機のブレーキを解放する手動解放アームと、巻上機の軸端部に固着されたナットに対してかごを降下させるための駆動力（回転力）を与える脱着式のラチェット式の手動ハンドルとを備えたエレベータ用巻上機が知られている（例えば、特許文献１参照）。
【０００４】
【特許文献１】特開平９−１２２４２号公報
【発明の開示】
【発明が解決しようとする課題】
【０００５】
しかしながら、上記のように構成された従来のエレベータ巻上機モーター用手巻きハンドルでは、図７に示すように、巻上機モーターと建築壁との間の隙間が広い場合については何ら問題ないが、例えばリフォーム等により巻上機モーターと建築コーナー壁との間の隙間が狭くなった現場では、手巻きハンドルを巻上機モーターの軸に装着することができなかった。また、手巻きハンドルを半回転する度に持ち替える必要があった。
【０００６】
また、従来技術のようなエレベータ用巻上機では、一般に市販されているラチェット式の手動ハンドルを用いるため、手動ハンドルの巻上機の軸端に嵌め込まれる部分の構造がナット型形状のものに限られてしまう。したがって、巻上機の軸端にナットを固着した構造の巻上機モーターに限定され、巻上機モーターの回転軸にキー溝のみが設けられた比較的数が多い通常構造の巻上機モーターには使用できないという問題があった。
【０００７】
この発明は、上述のような課題を解決するためになされたもので、巻上機モーターと建築コーナー壁との間の隙間が狭い現場でも簡単に装着でき、しかも回転軸にキー溝のみが設けられた比較的数が多い通常構造の巻上機モーターに使用できるエレベータ巻上機モーター用ラチェット式手巻きハンドル及びその使用方法を提供するものである。
【課題を解決するための手段】
【０００８】
この発明に係るエレベータ巻上機モーター用ラチェット式手巻きハンドルにおいては、主として巻上機モーターと建築コーナー壁との間の隙間が狭い現場で使用されるエレベータ巻上機モーター用ラチェット式手巻きハンドルであって、ラチェット式手巻きハンドルの中央部を構成する縦型ハンドル部と、縦型ハンドル部の先端部に水平方向に交差するように設けられ、ラチェット式手巻きハンドルの主要部を構成するとともにラチェット機構が内蔵された水平頭部と、からなる全体としてＴ字型又はピストル型の形状を呈しており、水平頭部は、前方に突出して巻上機モーターの回転軸を内側に嵌入装着する円筒状嵌合部と、この円筒状嵌合部の内面に設けられ、巻上機モーターの回転軸に設けられたキー溝に係合して、ラチェット式手巻きハンドルの一方向の回転力のみ巻上機モーターの回転軸に伝達する凸条とを備えたものである。
【０００９】
また、主として巻上機モーターと建築コーナー壁との間の隙間が狭い現場で使用されるエレベータ巻上機モーター用ラチェット式手巻きハンドルであって、ラチェット式手巻きハンドルの中央部を構成する縦型ハンドル部と、縦型ハンドル部の先端部に水平方向に交差するように設けられ、ラチェット式手巻きハンドルの主要部を構成するとともにラチェット機構が内蔵された水平頭部と、からなる全体としてＴ字型又はピストル型の形状を呈しており、水平頭部は、前方に突出して巻上機モーターの回転軸を内側に嵌入装着する円筒状嵌合部と、この円筒状嵌合部の内面に設けられ、巻上機モーターの回転軸に設けられたキー溝に係合して、ラチェット式手巻きハンドルの一方向の回転力のみ巻上機モーターの回転軸に伝達する凸条と、後方に突出して、後方から縦型ハンドル部の先端部を貫通して円筒状嵌合部を着脱自在に取り付け固定する固定ボルトとを備えたものである。
【００１０】
また、この発明に係るエレベータ巻上機モーター用ラチェット式手巻きハンドルの使用方法においては、円筒状嵌合部は、その長さ寸法の異なるものを予め用意しておき、巻上機モーターの回転軸と建築コーナー壁との間の隙間に対応して円筒状嵌合部を選択して使用するものである。
【発明の効果】
【００１１】
この発明によれば、巻上機モーターと建築コーナー壁との間の隙間が狭い現場でも簡単に装着することができる。また、手巻きハンドルを半回転する度に持ち替える必要がない。しかも回転軸にキー溝のみが設けられた比較的数が多い通常構造の巻上機モーターに使用することができる効果がある。
【発明を実施するための最良の形態】
【００１２】
実施の形態１．
図１はこの発明の実施の形態１におけるエレベータ巻上機モーター用ラチェット式手巻きハンドルを示す側面図、図２はエレベータ巻上機モーター用ラチェット式手巻きハンドルを示す正面図、図３はエレベータ巻上機モーター用ラチェット式手巻きハンドルを示す背面図、図４はエレベータ巻上機モーター用ラチェット式手巻きハンドルを前後からそれぞれ見た斜視図、図５はエレベータ巻上機モーター用ラチェット式手巻きハンドルの要部を示す縦断面図、図６はこの発明の実施の形態１におけるエレベータ巻上機モーター用ラチェット式手巻きハンドルを巻上機モーター軸に装着した使用状態を示す平面図である。
【００１３】
図において、１は全体としてほぼＴ字型又はピストル型の形状を呈するエレベータ巻上機モーター用ラチェット式手巻きハンドル、２はラチェット式手巻きハンドル１の中央部を構成する縦型ハンドル部、３はこの縦型ハンドル部２の先端部に水平方向に交差するように設けられたラチェット式手巻きハンドル１の主要部を構成するとともにラチェット機構を内蔵している水平頭部である。この水平頭部３の前半部には、前方に突出する銃口のような形状の円筒状嵌合部４が設けられている。そして、この円筒状嵌合部４の内面側には、巻上機モーター１０の回転軸のキー溝（図示せず）と係合する凸条５が軸方向に設けられている。上記巻上機モーター１０の回転軸を円筒状嵌合部４の内側に嵌入して装着すると、凸条５が巻上機モーター１０の回転軸に軸方向に設けられたキー溝（図示せず）に係合して、ラチェット式手巻きハンドル１の一方向の回転力のみ巻上機モーター１０の回転軸に伝達するようになっている。また、上記水平頭部３の後半部は後方に突出する元込め部のような形状で、最後部に後方から縦型ハンドル部２の先端部を貫通して上記円筒状嵌合部４を着脱自在に取り付け固定するための固定ボルト６が設けられている。また、上記水平頭部３の前方に突出する銃口のような形状でかつ内面側に凸条５が軸方向に設けられた円筒状嵌合部４は、その長さ寸法の異なるものを予め幾つか用意しておき、上記固定ボルト６により取替可能とすることができる。  
【００１４】
次に、この発明によるエレベータ巻上機モーター用ラチェット式手巻きハンドルを巻上機モーターの回転軸に装着した使用状態を図６により説明する。
エレベータ巻上機モーター用ラチェット式手巻きハンドル１は、巻上機モーターと建築コーナー壁との間の隙間が非常に狭い現場でも、ラチェット式手巻きハンドル１の水平頭部３が入って、更に巻上機モーターの回転軸に入れられる隙間さえあれば、巻上機モーターの回転軸にラチェット式手巻きハンドル１を装着することが可能となる。これにより、回転軸にナットがなく、キー溝のみが設けられた比較的数が多い通常構造の巻上機モーターにも簡単に使用することができる。
また、円筒状嵌合部４の長さ寸法の異なるものを予め幾つか用意しておけば、巻上機モーターの回転軸端と建築コーナー壁との間の隙間が極めて狭い現場であっても、長さのある円筒状嵌合部４に代えて、寸法の非常に短い円筒状嵌合部を上記固定ボルト６によって選択して交換すれば容易に対応することができる。  
【図面の簡単な説明】
【００１５】
【図１】この発明の実施の形態１におけるエレベータ巻上機モーター用ラチェット式手巻きハンドルを示す側面図である。
【図２】この発明の実施の形態１におけるエレベータ巻上機モーター用ラチェット式手巻きハンドルを示す正面図である。
【図３】この発明の実施の形態１におけるエレベータ巻上機モーター用ラチェット式手巻きハンドルを示す背面図である。
【図４】この発明の実施の形態１におけるエレベータ巻上機モーター用ラチェット式手巻きハンドルを前後からそれぞれ見た斜視図である。
【図５】この発明の実施の形態１におけるエレベータ巻上機モーター用ラチェット式手巻きハンドルの要部を示す縦断面図である。
【図６】この発明の実施の形態１におけるエレベータ巻上機モーター用ラチェット式手巻きハンドルを巻上機モーター軸に装着した使用状態を示す平面図である。
【図７】従来のエレベータ巻上機モーター用手巻きハンドルを巻上機モーター軸に装着した使用状態を示す平面図である。
【図８】従来のエレベータ巻上機モーター用手巻きハンドルを示す側面図である。
【図９】従来のエレベータ巻上機モーター用手巻きハンドルを示す正面図である。
【図１０】従来のエレベータ巻上機モーター用手巻きハンドルを示す背面図である。
【符号の説明】
【００１６】
１  エレベータ巻上機モーター用ラチェット式手巻きハンドル
２  縦型ハンドル部
３  水平頭部
４  円筒状嵌合部
５  凸条
６  固定ボルト
１０  巻上機モーター
１１  従来の手巻きハンドル
１２  取手
１３  円筒状嵌合部
１４  凸条
【図１】
2008273731.tif 000003
【図２】
2008273731.tif 000004
【図３】
2008273731.tif 000005
【図４】
2008273731.tif 000006
【図５】
2008273731.tif 000007
【図６】
2008273731.tif 000008
【図７】
2008273731.tif 000009
【図８】
2008273731.tif 000010
【図９】
2008273731.tif 000011
【図１０】
2008273731.tif 000012